(57)【要約】【課題】  視覚障害者のための点字ブロック誘導システムにおいて、埋設ＩＣタグ情報の評価を行うデバッグ装置を提供する。【解決手段】  視覚障害者を対象とした点字ブロック位置情報のデバッグシステムにおいて、予め情報が記憶された埋設ＩＣタグ１と、この埋設ＩＣタグ１に記憶されている記憶情報を健常者が案内杖２を介して音声情報として出力する音声出力手段と、この音声出力手段により出力された音声情報が正しいか否かを健常者の視覚による視覚情報によって評価する手段と、前記音声出力手段により出力された音声情報と前記視覚情報とが一致しない場合に前記埋設ＩＣタグ１のデバッグを行う。【選択図】  図３
2008250622.tif 000002
【特許請求の範囲】
【請求項１】
（ａ）予め情報が記憶された埋設ＩＣタグと、
（ｂ）該埋設ＩＣタグに記憶されている記憶情報を健常者が案内杖を介して音声情報として出力する音声出力手段と、
（ｃ）該音声出力手段により出力された音声情報が正しいか否かを健常者の視覚による視覚情報によって評価する手段と、
（ｄ）前記音声出力手段により出力された音声情報と前記視覚情報とが一致しない場合に前記埋設ＩＣタグのデバッグを行うことを特徴とする視覚障害者を対象とした点字ブロック位置情報のデバッグシステム。
【請求項２】
請求項１記載の視覚障害者を対象とした点字ブロック位置情報システム用デバッグシステムにおいて、前記視覚による視覚情報は健常者がゴーグルを用いて点検した視覚情報であることを特徴とする視覚障害者を対象とした点字ブロック位置情報のデバッグシステム。
【発明の詳細な説明】
【技術分野】
【０００１】
本発明は、鉄道の駅構内などの点字ブロックにおける位置情報システムをデバッグするための視覚障害者を対象とした点字ブロック位置情報のデバッグシステムに関するものである。
【背景技術】
【０００２】
従来、鉄道事業において、視覚障害者を対象とした点字ブロック誘導システムが研究されている。これは、点字ブロック下に埋め込まれた位置情報と、その情報を捉えて音声情報として伝える白杖との開発によるものであり、実用品化に向けて現在研究中である。
【０００３】
図５はかかる従来の点字ブロックによる視覚障害者用誘導案内システムの構成図である。
【０００４】
この図において、携帯端末装置１０１は、入出力装置として音声認識・音声合成装置１０２を有し、この音声認識・音声合成装置１０２は処理装置１０４に接続されている。この、処理装置１０４には記憶装置１０３が接続され、この記憶装置１０３には目的地への誘導案内に必要な情報が記憶されている。また、処理装置１０４は、埋設ＩＣタグ１２０や１３０からのＩＣタグ位置情報と、記憶装置１０３からの情報に基づいたナビゲーション機能を持っている。
【０００５】
更に、この携帯端末装置１０１には、埋設ＩＣタグ１２０や１３０からの情報を受信する受信装置（受信機）１０５と、各部に電力を供給する電池１０７とが搭載されている。
【０００６】
また、案内用杖１１０は先端にタグリーダー１１１が装備され、そのタグリーダー１１１には送信装置１１２が接続されている（下記特許文献１参照）。
【特許文献１】特開平１１−２７６５１６号公報
【発明の開示】
【発明が解決しようとする課題】
【０００７】
この点字ブロック誘導システムは、点字ブロックから伝えられる音声による位置情報によって、視覚障害者が自身のいる位置を把握し、実際に目的地に移動できることを目的としている。このような誘導案内システムは、将来的には点字ブロックだけでなく、地上全体に普及する可能性も考えられる。その際には、視覚障害者は点字ブロック上を選択して移動する必要はなく、健常者と同様に自由な移動が可能になる。
【０００８】
このようなシステムに対し、点字ブロック下に埋め込まれた位置情報が正しいか否かの評価を行い、デバッグを容易に実施することが求められている。
【０００９】
本発明は、上記状況に鑑みて、このようなシステムに、健常者によるデバッグシステムを導入して、点字ブロックに埋め込まれた位置情報が正しいか否かを評価してデバッグを行う視覚障害者を対象とした点字ブロック位置情報のデバッグシステムを提供することを目的とする。
【課題を解決するための手段】
【００１０】
本発明は、上記目的を達成するために、
〔１〕視覚障害者を対象とした点字ブロック位置情報のデバッグシステムにおいて、予め情報が記憶された埋設ＩＣタグと、この埋設ＩＣタグに記憶されている記憶情報を健常者が案内杖を介して音声情報として出力する音声出力手段と、この音声出力手段により出力された音声情報が正しいか否かを健常者の視覚による視覚情報によって評価する手段と、前記音声出力手段により出力された音声情報と前記視覚情報とが一致しない場合に前記埋設ＩＣタグのデバッグを行うことを特徴とする。
【００１１】
〔２〕上記〔１〕記載の視覚障害者を対象とした点字ブロック位置情報のデバッグシステムにおいて、前記視覚による視覚情報は健常者がゴーグルを用いて点検した視覚情報であることを特徴とする。
【発明の効果】
【００１２】
本発明によれば、簡便な方法で、点字ブロック位置情報システムのデバックを実施することができる。
【００１３】
特に、健常者によって点字ブロックの機能評価を簡便に実施することができる。
【発明を実施するための最良の形態】
【００１４】
本発明の視覚障害者を対象とした点字ブロック位置情報システム用デバッグ装置は、予め情報が記憶された埋設ＩＣタグと、この埋設ＩＣタグに記憶されている記憶情報を健常者が案内杖を介して音声情報として出力する音声出力手段と、この音声出力手段により出力された音声情報が正しいか否かを健常者の視覚による視覚情報によって評価する手段と、前記音声出力手段により出力された音声情報と前記視覚情報とが一致しない場合に前記埋設ＩＣタグのデバッグを行う。
【実施例】
【００１５】
以下、本発明の実施の形態について詳細に説明する。
【００１６】
図１は本発明の実施例を示す点字ブロック位置情報システムの埋設ＩＣタグの配置図、図２はその点字ブロック位置情報システムの埋設ＩＣタグの構成図、図３は本発明の実施例を示す健常者がゴーグルを用いて点字ブロックを評価する様子を示す図である。
【００１７】
図１において、１は埋設ＩＣタグ、２は視覚障害者Ａが携帯する案内杖、３は案内杖２に設けられるタグリーダー、４はタグリーダー３からの出力を送信する送信機、５はその送信機４からの情報を受信して音声として出力する視覚障害者Ａが携帯する音声出力装置である。
【００１８】
そこで、視覚障害者Ａは、案内杖２で読み出された埋設ＩＣタグ１の情報を受信機（図示なし）により検知して、音声出力装置５からの音声により埋設ＩＣタグ１の情報を認識する。
【００１９】
ここでは、視覚障害者Ａは、埋設ＩＣタグ１の情報を検知した結果、「５ｍ先は階段６′です。」との情報を得る。
【００２０】
ところが、工事により階段６′が実際は塞がれた壁６になっているような場合には、埋設ＩＣタグ１の情報は実際の状態を反映していなくない。
【００２１】
本発明によれば、このような場合、図３に示すように、健常者Ｂがゴーグルを使用して埋設ＩＣタグ１の情報を点検するとともに、実際の状況と適合しているか否かを評価する。埋設ＩＣタグ１の情報が実際の状況と一致していない場合には、直ちに埋設ＩＣタグ１の情報を「５ｍ先に壁があり、迂回して下さい。」との情報に書換えを行う。つまり、本来は階段であった箇所が実際は工事により変更になって壁になって迂回しなければならなくなっているような場合、埋設ＩＣタグ１にはバグがあることになるので、「５ｍ先には壁があり、迂回が必要です。」との誘導案内情報に書き換えることにする。あたかも、健常者Ｂはデバッグのためのゴーグル１１を使用していると言える。
【００２２】
このように、ゴーグルをデバッグ用のインタフェースとするのは、ＩＣタグ等の情報環境構成機器から多数の、あるいは詳細な情報が提供されるような場合、利用者としての視覚障害者には、その視覚障害者には、その障害者の進行方向や向いている方向等により、更には予め利用者が設定する移動等の目的をフィルターとして選択的に提供されるが、デバックを行う健常者は情報環境構成機器の全ての情報をチェックしてければならなくなるので、デバック作業者は、情報の利用者としての視覚障害者に比較して遙かに膨大な量の情報を短時間に効率的にチェックしてければならない。したがって、ＩＣタグ等の情報環境構成機器から提供される、視覚障害者には音声で提示されることを想定した情報、つまり、視覚障害者が使用する機器において音声情報に変換される情報を、視覚的な情報としてデバッグを行う健常者に提供する機能を付加するようにしてもよい。このように構成することにより、相手が健常者である場合には、環境が提示する情報としては、音声で提示するよりも視覚情報として提示する方が遙に効率的である。
【００２３】
また、シースルー・ゴーグルを通して、現実と、上記により視覚情報として再構成された情報を重ねて見る場合には、視点の位置を十分に正確に特定しなければならないが、これは上記のＩＣタグ等の情報環境構成機器が提供する情報から得ることができるが、必要に応じて、環境に一定の弱磁場を発生させて、これらを利用した位置センサー等を利用することもできる。
【００２４】
このように、健常者Ｂのゴーグル１１を用いて点字ブロックを評価することによって実際の誘導案内情報に適合させることができる。
【００２５】
上記のように、本発明は、敷設されている埋設ＩＣタグの情報と実際の状況とが一致しているか否かを健常者Ｂが逐次チェックすることによって、点字ブロック位置情報システムの高い信頼性を補償し、安全な運用に資することができる。
【００２６】
また、上記実施例では、階段が壁になっていた場合を示したが、駅のホームの番線が変更になったり、改札口が変更になるような場合でも、健常者による埋設ＩＣタグの情報と現状とのチェックを的確に行うことができる。
【００２７】
ところで、ＧＰＳが全地球的な位置計測システムとして用いられているが、当然のことながら建築物の内部や地下では利用することはできない。そこで、例えば、駅構内等には点字ブロック等が敷設され、視覚障害者に幾らかの情報が提示されている。
【００２８】
図４は本発明にかかる駅のホームに配置される点字ブロック位置情報システムの模式図である。
【００２９】
この図において、２１は電車、２２は電車２１のドア、２３はホームであり、埋設ＩＣタグ２４−２６はホーム２３の端で危険であるから、進入するのを禁止する情報を記憶させておき、埋設ＩＣタグ２７−２９に沿って歩行するように誘導案内するようにしている。
【００３０】
本発明の点字ブロック位置情報のデバックシステムは、かかる駅のホームに配置される点字ブロックの位置情報のデバックも容易に行うことができる。特に、駅のホームにおける誘導案内は危険を伴うので、点字ブロックの位置情報のチェックは重要なことである。
【００３１】
なお、本発明は上記実施例に限定されるものではなく、本発明の趣旨に基づき種々の変形が可能であり、これらを本発明の範囲から排除するものではない。
【産業上の利用可能性】
【００３２】
本発明の視覚障害者を対象とした点字ブロック位置情報のデバッグシステムは、簡便な構成により安全度を高めることができる点字ブロック位置情報システムに利用可能である。
【図面の簡単な説明】
【００３３】
【図１】本発明の実施例を示す点字ブロック位置情報システムの埋設ＩＣタグの配置図である。
【図２】本発明の実施例を示す点字ブロック位置情報システムの埋設ＩＣタグの構成図である。
【図３】本発明の実施例を示す健常者がゴーグルを用いて点字ブロックを評価する様子を示す図である。
【図４】本発明にかかる駅のホームに配置される点字ブロック位置情報システムの模式図である。
【図５】従来の点字ブロックによる視覚障害者用誘導案内システムの構成図である。
【符号の説明】
【００３４】
Ａ    視覚障害者
１，２４〜２９    埋設ＩＣタグ
２    案内杖
３    案内杖に設けられるタグリーダー
４    送信機
５    音声出力装置
６    壁
６′    階段
Ｂ    健常者
１１    ゴーグル
２１    電車
２２    電車のドア
２３    ホーム
【図１】
2008250622.tif 000003
【図２】
2008250622.tif 000004
【図３】
2008250622.tif 000005
【図４】
2008250622.tif 000006
【図５】
2008250622.tif 000007